(57)【要約】【課題】  パネル材を利用したエクステリア品の装飾性，趣味性，多様性及び多機能性を向上させるとともに、パネル材の用途拡大に寄与する。【解決手段】  リサイクル素材Ｒにより形成したパネル材を用いたエクステリア品を構成するに際して、リサイクル素材Ｒにより形成したパネル本体部２の面２ｆ内に、同一又は異なる形状の図形により形成した一又は二以上の貫通孔３…を設けるとともに、貫通孔３…を、ステンドグラス板又はステンドグラス状のプラスチック板による化粧板４…により閉塞してなるパネル材１を、少なくとも一つ以上用いて構成する。【選択図】  図１
2012111156.tif 000002
【特許請求の範囲】
【請求項１】
リサイクル素材により形成したパネル材において、前記リサイクル素材により形成したパネル本体部の面内に、同一又は異なる形状の図形により形成した一又は二以上の貫通孔を設けるとともに、この貫通孔を、ステンドグラス板又はステンドグラス状のプラスチック板による化粧板により閉塞してなることを特徴とするパネル材。
【請求項２】
前記リサイクル素材は、廃プラスチックのリサイクル素材，又は廃プラスチックのリサイクル素材と廃木材のリサイクル素材の複合素材，を用いることを特徴とする請求項１記載のパネル材。
【請求項３】
前記パネル本体部は、外観を木質状に形成することを特徴とする請求項１又は２記載のパネル材。
【請求項４】
リサイクル素材により形成したパネル材を用いたエクステリア品において、前記リサイクル素材により形成したパネル本体部の面内に、同一又は異なる形状の図形により形成した一又は二以上の貫通孔を設けるとともに、前記貫通孔を、ステンドグラス板又はステンドグラス状のプラスチック板による化粧板により閉塞してなるパネル材を、少なくとも一つ以上用いて構成したことを特徴とするエクステリア品。
【請求項５】
前記パネル材は、水栓柱用カバーの少なくとも一部のパネル，フェンスの少なくとも一部のパネル，郵便箱の少なくとも一部のパネル，又は庭園灯用カバーの少なくとも一部のパネル，に用いることを特徴とする請求項４記載のエクステリア品。
【請求項６】
前記パネル材の裏面側に配することにより前記化粧板に光を照射する発光ダイオードと、この発光ダイオードを点灯させる点灯回路とを備えることを特徴とする請求項４又は５記載のエクステリア品。
【請求項７】
前記点灯回路には、少なくとも、ＡＣアダプタによる電源部及び／又はソーラー発電に基づく電源部を設けることを特徴とする請求項６記載のエクステリア品。
【発明の詳細な説明】
【技術分野】
【０００１】
本発明は、リサイクル素材により形成したパネル材及びこのパネル材を用いたエクステリア品に関する。
【背景技術】
【０００２】
従来、リサイクル素材により形成したパネル材としては、既に、本出願人が提案した特許文献１により開示されるフェンスに用いたパネル材が知られている。
【０００３】
このパネル材は、廃プラスチックのリサイクル素材、或いは廃プラスチックのリサイクル素材と廃木材のリサイクル素材の複合素材により形成したものであり、製造する際には、例えば、廃棄されるポリスチレン製の食器トレイ等を溶解し、発泡剤等の添加剤を加えた材料を押出成形することにより得ることができる。したがって、リサイクル材の有効な利用促進に寄与できるとともに、複雑な形状であっても容易に形成可能となり、しかも腐食や劣化がしにくいため、エクステリア等の屋外の用途に適している。
【先行技術文献】
【特許文献】
【０００４】
【特許文献１】特開２０１０−１２６９６５号公報
【発明の概要】
【発明が解決しようとする課題】
【０００５】
しかし、上述した特許文献１に開示されるパネル材をはじめ、従来におけるこの種のパネル材は、次のような解決すべき課題も存在した。
【０００６】
第一に、この種のパネル材は、所定の着色を施した平坦板として成形すれば、廃プラスチック等のリサイクル素材により形成した場合であっても、外観的には天然の木材に近い木質感を有するパネル材として仕上げることができる。したがって、エクステリア等の屋外で使用した際には天然の木材よりも腐食や劣化が生じにくい利点を有するが、基本的には従来のエクステリア品の素材変更の域に留まるため、その利点を生かた用途の拡大という観点からは必ずしも十分であるとは言えなかった。
【０００７】
第二に、製造に際しては、溶解したプラスチック素材（溶融樹脂）に発泡剤等の添加剤を加えた材料を押出成形して得るため、天然の木材を加工するよりも、複雑な形状を容易かつ高品質で得ることができる利点を有しているが、木材による板材の延長線上におけるパネル材として形成するため、装飾性，趣味性及び多様性、更には多機能性を高める観点からも更なる改善の余地があった。
【０００８】
本発明は、このような背景技術に存在する課題を解決したパネル材及びエクステリア品の提供を目的とするものである。
【課題を解決するための手段】
【０００９】
本発明に係るパネル材１は、上述した課題を解決するため、リサイクル素材Ｒにより形成したパネル材を構成するに際して、リサイクル素材Ｒにより形成したパネル本体部２の面２ｆ内に、同一又は異なる形状の図形により形成した一又は二以上の貫通孔３…を設けるとともに、この貫通孔３…を、ステンドグラス板又はステンドグラス状のプラスチック板による化粧板４…により閉塞してなることを特徴とする。
【００１０】
この場合、発明の好適な態様により、リサイクル素材Ｒは、廃プラスチックのリサイクル素材Ｒｐ，又は廃プラスチックのリサイクル素材と廃木材のリサイクル素材の複合素材Ｒｍ，を用いることができるとともに、パネル本体部２は、外観を木質状に形成することができる。
【００１１】
一方、発明に係るエクステリア品１０は、上述した課題を解決するため、リサイクル素材Ｒにより形成したパネル材を用いたエクステリア品を構成するに際して、リサイクル素材Ｒにより形成したパネル本体部２の面２ｆ内に、同一又は異なる形状の図形により形成した一又は二以上の貫通孔３…を設けるとともに、貫通孔３…を、ステンドグラス板又はステンドグラス状のプラスチック板による化粧板４…により閉塞してなるパネル材１を、少なくとも一つ以上用いて構成したことを特徴とする。
【００１２】
この場合、発明の好適な態様により、パネル材１は、水栓柱用カバー２０の少なくとも一部のパネル，フェンス３０の少なくとも一部のパネル，郵便箱の少なくとも一部のパネル，又は庭園灯用カバーの少なくとも一部のパネル，に用いることができる。また、エクステリア品１０には、パネル材１の裏面１ｒ側に配することにより化粧板４…に光を照射する発光ダイオード５１…と、この発光ダイオード５１…を点灯させる点灯回路５２とを設けることができるとともに、この点灯回路５２には、少なくとも、ＡＣアダプタによる電源部５２ａ及び／又はソーラー発電に基づく電源部５２ｓを設けることができる。
【発明の効果】
【００１３】
このような構成を有する本発明に係るパネル材１及びエクステリア品１０によれば、次のような顕著な効果を奏する。
【００１４】
（１）  パネル材１は、リサイクル素材Ｒにより形成したパネル本体部２の面２ｆ内に、図形により形成した貫通孔３…を設けるとともに、この貫通孔３…を化粧板４…により閉塞してなるため、形状が複雑或いは小さい図形による貫通孔３…を設ける場合であっても木板等の従来のパネル材に比べて高品質に設けることができること及び腐食や劣化が生じにくいことと相俟って、特に、エクステリア品１０に利用することにより、当該エクステリア品１０の装飾性，趣味性及び多様性を飛躍的に向上させることができるとともに、パネル材１の用途拡大に寄与することができる。
【００１５】
（２）  好適な態様により、リサイクル素材Ｒとして、廃プラスチックのリサイクル素材Ｒｐ，又は廃プラスチックのリサイクル素材と廃木材のリサイクル素材の複合素材Ｒｍ，を用いれば、本発明の上記目的（１）をより確実に実現できるとともに、より有効なパフォーマンスを得ることができる。
【００１６】
（３）  好適な態様により、パネル本体部２の外観を木質状に形成すれば、パネル材１における木質感とステンドグラス（化粧板４…）の相乗効果により装飾性及び趣味性をより高めることができる。
【００１７】
（４）  好適な態様により、パネル材１を、水栓柱用カバー２０の少なくとも一部のパネル，フェンス３０の少なくとも一部のパネル，郵便箱の少なくとも一部のパネル，又は庭園灯用カバーの少なくとも一部のパネル，に用いるようにすれば、エクステリア品１０となる、水栓柱Ｐ（水栓柱用カバー２０），フェンス３０，郵便箱又は庭園灯、におけるそれぞれの装飾性及び趣味性を高めることができるため、より良質のエクステリアを構築できる。
【００１８】
（５）  好適な態様により、エクステリア品１０に、パネル材１の裏面１ｒ側に配することにより化粧板４…に光を照射する発光ダイオード５１…と、この発光ダイオード５１…を点灯させる点灯回路５２とを設けて構成すれば、多機能性及び装飾性としての付加価値をより高めることができる。
【００１９】
（６）  好適な態様により、点灯回路５２に、少なくとも、ＡＣアダプタによる電源部５２ａ及び／又はソーラー発電に基づく電源部５２ｓを設ければ、必要に応じて電源部の種別を選択できるため、ユーザーの利便性向上に寄与できるとともに、特に、ソーラー発電に基づく電源部５２ｓを用いれば、リサイクル性及び省エネルギー性の双方の適用により環境対策に優れたエクステリア品１０を実現できる。
【図面の簡単な説明】
【００２０】
【図１】本発明の好適実施形態に係る水栓柱用カバーの正面図、
【図２】同カバーの部分抽出拡大図を含む使用状態における側面断面図、
【図３】同カバーの背面側から見た断面図、
【図４】同カバーの外観斜視図、
【図５】本発明の変更実施形態に係るカバーの一部を示す側面断面図、
【図６】同カバーに備える電気系回路図、
【図７】同カバーの電源部の変更例を含む外観斜視図、
【図８】本発明の他の変更実施形態に係るカバーの一部を示す側面断面図、
【図９】本発明の他の変更実施形態に係るカバーに用いるパネル材の正面図、
【図１０】本発明の他の変更実施形態に係るフェンスの正面図、
【図１１】同フェンスに用いるパネル材の平面側から見た断面図、
【図１２】同フェンスの一部を示す平面図、
【発明を実施するための形態】
【００２１】
次に、本発明に係る好適実施形態を挙げ、図面に基づき詳細に説明する。
【００２２】
まず、本実施形態に係るエクステリア品１０である、水栓柱用カバー２０の構成について、図１〜図４を参照して説明する。
【００２３】
一般に、住宅の庭等には、図２に示すような水栓柱Ｐを設置することも多い。図２中、Ｐｍは地面Ｅから起立した水栓柱本体、Ｐｃは水栓柱本体Ｐｍの上端付近に取付けた蛇口、Ｐｖは水栓柱本体Ｐｍの上端に配することにより水栓柱Ｐに内蔵する水道管凍結防止用の水抜栓を開閉操作する操作ハンドルをそれぞれ示す。ところで、近時においてはデザイン化された水栓柱も商品化されているが、多くの水栓柱Ｐは、図２に示すように、外観が機能的デザインに留まるため、エクステリアの雰囲気を損なう要素となる。
【００２４】
本実施形態に係る水栓柱用カバー２０は、このような水栓柱Ｐを覆うことによりその外観性を高めるものであり、各図に示すように、五枚の平坦パネルを組合わせて構成する。各平坦パネルにおいて、特に、正面パネル２１は本実施形態に係るパネル材１を構成するとともに、残りの四枚の平坦パネル、即ち、背面パネル２２，右側面パネル２３，左側面パネル２４及び天面パネル２５は、通常の平坦パネルとして形成する。
【００２５】
各パネル２１，２２，２３，２４及び２５は、いずれもリサイクル素材Ｒ、即ち、廃プラスチックのリサイクル素材Ｒｐを用いて形成する。各パネル２１…を製造するには、公知の製造法を利用することができ、例えば、廃棄されるポリスチレン製の食器トレイ等を溶解するとともに、発泡剤等の添加剤を加えた材料を押出成形することにより製造することができる。また、溶解した廃プラスチックのリサイクル素材Ｒｐには、茶色系などの着色剤を添加し、製造した各パネル２１…の外観が木質状となるように考慮する。なお、リサイクル素材Ｒとしては、廃プラスチックのリサイクル素材と廃木材のリサイクル素材の複合素材Ｒｍを用いてもよい。この場合、上述の溶解した廃プラスチックのリサイクル素材Ｒｐに対して、微細化（粉末化）した廃木材のリサイクル素材を混合させるなどにより実施することができる。なお、廃プラスチックのリサイクル素材と廃木材のリサイクル素材の最適な配合比率は予め選定する。
【００２６】
さらに、本実施形態に係るパネル材１を用いる正面パネル２１は、次のように製造する。まず、上述したリサイクル素材Ｒにより成形した正面パネル２１は、パネル本体部２として用いる。そして、図１に示すように、パネル本体部２の上端付近には、蛇口Ｐｃを挿通させる円形の挿通孔１１を形成する。これにより、蛇口Ｐｃの後端側をパネル本体部２の前面側（正面側）から挿通孔１１に挿入し、水栓柱本体Ｐｍの上端付近に設けた取付口Ｊｐに装着できる。一方、挿通孔１１の下方におけるパネル本体部２の面２ｆ内には、同一又は異なる形状の図形により形成した一又は二以上の貫通孔３…を設ける。例示の場合、三つの菱形形状の貫通孔３…を縦方向に一定間隔毎に順次形成する。一つの貫通孔３（他の貫通孔３…も同じ）は、図２に示す抽出拡大図に示すように、内縁面に段差を形成し、パネル本体部２の後面（裏面）側に、前面側から見た貫通孔３の形状よりも大きい形状となる化粧板取付部１２を形成する。このような貫通孔３は、切削加工により形成してもよいし、押出成形時に型を用いて形成してもよい。
【００２７】
また、各貫通孔３…における化粧板取付部１２…に嵌合可能な化粧板４…を用意し、各化粧板４…を接着剤等を用いて各化粧板取付部１２…に固定する。これにより、各貫通孔３…は後面側から化粧板４…により閉塞される。この化粧板４…には、デザインをステンドグラス状にしたステンドグラス板、又はステンドグラス状のプラスチック板を用いる。以上により、目的のパネル材１を得ることができる。このように、本実施形態に係るパネル材１は、きわめて容易に製造することができる。
【００２８】
よって、このような本実施形態に係るパネル材１によれば、リサイクル素材Ｒにより形成したパネル本体部２の面２ｆ内に、図形により形成した貫通孔３…を設けるとともに、この貫通孔３…を化粧板４…により閉塞してなるため、形状が複雑或いは小さい図形による貫通孔３…を設ける場合であっても木板等の従来のパネル材に比べて高品質に設けることができること及び腐食や劣化が生じにくいことと相俟って、特に、エクステリア品１０に利用することにより、当該エクステリア品１０の装飾性，趣味性及び多様性を飛躍的に向上させることができるとともに、パネル材１の用途拡大に寄与できる。特に、パネル本体部２の外観は木質状となることから、パネル材１における全体の木質感と窓状のステンドグラス（化粧板４…）の相乗効果により装飾性及び趣味性をより高めることができる。しかも、リサイクル素材Ｒとして、廃プラスチックのリサイクル素材Ｒｐ，又は廃プラスチックのリサイクル素材と廃木材のリサイクル素材の複合素材Ｒｍ，を用いるため、上記作用効果ををより確実に実現できるとともに、より有効なパフォーマンスを得ることができる。
【００２９】
一方、水栓柱用カバー２０は、次のように組立てることができる。まず、正面パネル２１と背面パネル２２間に、右側面パネル２３と左側面パネル２４を介在させ、接着剤又はネジ等により固定する。この際、水平面で切断した内部形状は、矩形、望ましくは正方形となるように組付ける。また、右側面パネル２３と左側面パネル２４の左右方向の位置は、正面パネル２１と背面パネル２２の左右端よりも内側に位置させるとともに、右側面パネル２３と左側面パネル２４の上端は、正面パネル２１と背面パネル２２の上端より下方に位置させる。
【００３０】
他方、天面パネル２５は、右側面パネル２３と左側面パネル２４の上端に形成される開口部２７に対して着脱可能に構成する。したがって、図３に示すように、天面パネル２５の下面には、左右一対の保持プレート、即ち、弾性板材をくの字形に折曲した形状を有する保持プレート２６ｐ，２６ｑをネジ止め等により固定する。これにより、天面パネル２５を開口部２７に装着した際には、保持プレート２６ｐ及び２６ｑが右側面パネル２３及び左側面パネル２４の内面にそれぞれ圧接して容易な抜けが阻止される。これに対して、天面パネル２５を開口部２７から離脱させれば、水栓柱Ｐの上端に配した操作ハンドルＰｖを回し操作し、水栓柱Ｐに内蔵する水道管凍結防止用の水抜栓機構を開閉することができる。なお、天面パネル２５の左右端は、右側面パネル２３及び左側面パネル２４よりも若干左右方向に突出させ、天面パネル２５を離脱し易くすることが望ましい。
【００３１】
また、水栓柱用カバー２０を設置する際には、まず、図２において、水栓柱本体Ｐｍから蛇口Ｐｃを取外す。そして、水栓柱本体Ｐｍの上方から当該水栓柱本体Ｐｍを覆うように水栓柱用カバー２０を設置し、下端は地面Ｅに埋設して固定する。水栓柱用カバー２０を設置したなら、蛇口Ｐｃの後端側を、パネル本体部２の前面側から挿通孔１１に挿入し、水栓柱本体Ｐｍの取付口Ｊｐに装着する。これにより設置は終了する。このように、本実施形態に係る水栓柱用カバー２０は、水栓柱Ｐ、特に、既設の水栓柱Ｐに対してきわめて容易に設置することができる。
【００３２】
このように、本実施形態に係る水栓柱用カバー２０は、エクステリア品となる水栓柱Ｐにおける装飾性（趣味性）を高めることができるため、より良質のエクステリアを構築できる。なお、必要により、各パネル２１，２２，２３，２４の内面には、上述した保持プレート２６ｐ…と同様の弾性板材を用いた複数の位置決めプレートを固定し、水栓柱本体Ｐｍの外周面に圧接させることにより、水栓柱本体Ｐｍと水栓柱用カバー２０の位置決め及び位置保持を行うようにしてもよい。
【００３３】
次に、このような基本構成を有する水栓柱用カバー２０の変更実施形態について、図５〜図９を参照して説明する。
【００３４】
図５〜図７に示す水栓柱用カバー２０の変更実施形態は、パネル材１の裏面１ｒ側に配することにより化粧板４…に光を照射する発光ダイオード（ＬＥＤ）５１…と、このＬＥＤ５１…を点灯させる点灯回路５２とを設けて構成したものである。この場合、ＬＥＤ５１…と点灯回路５２は、様々な形態により取付可能であり、例えば、ＬＥＤ５１を取付けるに際しては、図５に一例として示すように、化粧板４の裏面に透明プラスチック板を用いた光拡散板６１を重ね合わせ、この光拡散板６１の端縁に設けた凹部６１ｈにＬＥＤ５１を挿入する形態でもよいし、或いはＬＥＤ５１を天面パネル２５の下面等に取付けることにより水栓柱用カバー２０の内部空間を照らすようにしてもよい。なお、図５は、光拡散板６１の背面にさらに遮光シート６２を貼付けた例を示すが必ずしも設けることを要しない。
【００３５】
一方、ＬＥＤ５１…を点灯させる点灯回路５２は、例示の場合、天面パネル２５の上面に収容ボックス６３を設け、この収容ボックス６３の内部に収容した。図６に、ＬＥＤ５１…及び点灯回路５２の電気系回路図を示す。点灯回路５２には、例えば、ＬＥＤドライバ５４，設定部５５及び電源部５３ａとなるＡＣアダプタ５３ａａを内蔵し、ＡＣアダプタ５３ａａの一次側は、電源コード５３ａｃを介してＡＣ１００ボルト商用電源に接続する。また、ＡＣアダプタ５３ａａからは直流電力がＬＥＤドライバ５４に付与され、このＬＥＤドライバ５４から各ＬＥＤ５１…に付与される。なお、例示の各ＬＥＤ５１…は並列接続されている。また、必要に応じ、設定部５５により、点灯のＯＮ／ＯＦＦ，明るさの調整，点滅の有無等の設定を行うことができる。このようなＬＥＤ５１…と、このＬＥＤ５１…を点灯させる点灯回路５２とを設ければ、多機能性及び装飾性としての付加価値をより高めることができる。
【００３６】
他方、図７（図６）は、電源部の変更例を示す。図７に示す電源部は、ソーラー発電に基づく電源部５３ｓを用いたものであり、図６に示すように、電源部５３ｓは、ソーラーパネル５３ｓｐとバッテリ５３ｓｂを備えて構成する。このソーラーパネル５３ｓｐは、図７に示すように、天面パネル２５の上面に取付けた支持部５３ｓｓの上面に固定し、水栓柱用カバー２０の上端に配することができる。このようなソーラー発電に基づく電源部５３ｓを用いれば、リサイクル性及び省エネルギー性の双方の適用により環境対策に優れたエクステリア品１０を実現できる。また、この電源部５３ｓは、ＡＣアダプタ５３ａａ（電源部５３ａ）に追加搭載し、設定部５５により切換（選択）使用できるようにしてもよい。これにより、必要に応じて電源部５３ａ又は５３ｓの種別を選択できるため、ユーザーの利便性向上に寄与できる。
【００３７】
図８に示す水栓柱用カバー２０の変更実施形態は、断熱機能を付加したものである。図１〜図４に示した水栓柱用カバー２０も水栓柱Ｐを覆うため、ある程度の断熱機能を有しているが、図８に示す水栓柱用カバー２０は、当該水栓柱用カバー２０の内面におけるほぼ全面に、発泡ウレタン樹脂等により成形した断熱ブロック等の断熱材７１…を貼り付けることにより、より高い断熱機能を持たせたものである。したがって、図８に示す水栓柱用カバー２０は、特に、寒冷地における水栓柱Ｐに付設することにより水栓柱Ｐ（水路）の凍結防止を図ることができる。
【００３８】
図９（ａ）〜（ｃ）は、水栓柱用カバー２０の変更実施形態を示すも、特に、正面パネル２１として使用するパネル材１における貫通孔３…を形成する図形の形状（模様）の変更例を示す。図９（ａ）〜（ｃ）にそれぞれ例示するように、貫通孔３…は、様々な形状や大きさにより形成することができる。
【００３９】
以上、図５〜図９における例示は、水栓柱用カバー２０の変更実施形態となる。なお、図５〜図９において、図１〜図４に示した水栓柱用カバー２０と同一部分には同一符号を付してその構成を明確にするとともに、その詳細な説明は省略する。
【００４０】
次に、本発明の変更実施形態であって、水栓柱用カバー２０とは異なるエクステリア品となるフェンス３０について、図１０〜図１２を参照して説明する。
【００４１】
図１０〜図１２に示す変更実施形態は、エクステリア品１０としてフェンス３０に適用したものであり、パネル材１としてフェンス３０に用いるパネル３１…に適用した。この場合、パネル３１も、図１〜図４に示したパネル材１と同様に形成することができ、同様の貫通孔３…及び化粧板４…を設けることができる。なお、フェンス３０を設置するに際しては、図１０に示すように、まず、地面Ｅに複数の支柱８１…を起設し、この支柱８１…に水平フレーム８２…を固定するとともに、この水平フレーム８２…に、弾性板材によりＣ形状に形成した複数の支持金具８３…を固定ネジ８４…により固定する。一方、パネル３０の裏面（側面）の左右には、被支持スリット８５，８５を設ける。これにより、支持金具８３の両側の爪をパネル３０の被支持スリット８５，８５に係止させれば、パネル３１を水平フレーム８２に取付けることができる。このような取付構造により、歪みや伸縮を生じやすいリサイクル素材Ｒにより成形したパネル３１であっても寸法上の不安定要素が吸収される。また、衝撃吸収作用を有するため、安全性にも寄与できる。なお、図１０〜図１２において、図１〜図９に示した水栓柱用カバー２０と同一部分には同一符号を付してその構成を明確にするとともに、その詳細な説明は省略する。
【００４２】
その他、パネル材１は、他のエクステリア品として、郵便箱の少なくとも一部のパネルや庭園灯用カバーの少なくとも一部のパネルなどにも同様に用いることができる。このように、パネル材１は、水栓柱用カバー２０の少なくとも一部のパネルである正面パネル２１，フェンス３０の少なくとも一部のパネル３１…，郵便箱の少なくとも一部のパネル，又は庭園灯用カバーの少なくとも一部のパネル，などに用いることができるため、エクステリア品１０となる、水栓柱Ｐ（水栓柱用カバー２０），フェンス３０，郵便箱又は庭園灯、におけるそれぞれの装飾性（趣味性）を高めることができ、より良質のエクステリアを構築できる。
【００４３】
以上、好適実施形態（変更実施形態）について詳細に説明したが、本発明は、このような実施形態に限定されるものではなく、細部の構成，形状，素材，数量等において、本発明の要旨を逸脱しない範囲で、任意に変更，追加，削除することができる。例えば、水栓柱用カバー２０において、パネル材１は正面パネル２１にのみ用いたが、右側面パネル２３や左側面パネル２４に用いてもよい。
【産業上の利用可能性】
【００４４】
本発明に係るパネル材は、リサイクル素材を有効活用できるとともに、エクステリア品を構成する際における少なくともその一部に利用することができる。
【符号の説明】
【００４５】
１：パネル材，１ｒ：パネル材の裏面，２：パネル本体部，２ｆ：パネル本体部の面，３…：貫通孔，４…：化粧板，１０：エクステリア品，２０：水栓柱用カバー，３０：フェンス，５１…：発光ダイオード，５２：点灯回路，５２ａ：ＡＣアダプタによる電源部，５２ｓ：ソーラー発電に基づく電源部，Ｒ：リサイクル素材，Ｒｐ：廃プラスチックのリサイクル素材，Ｒｍ：複合素材
【図１】
2012111156.tif 000003
【図２】
2012111156.tif 000004
【図３】
2012111156.tif 000005
【図４】
2012111156.tif 000006
【図５】
2012111156.tif 000007
【図６】
2012111156.tif 000008
【図７】
2012111156.tif 000009
【図８】
2012111156.tif 000010
【図９】
2012111156.tif 000011
【図１０】
2012111156.tif 000012
【図１１】
2012111156.tif 000013
【図１２】
2012111156.tif 000014